(57)【要約】【課題】支柱に横部材を角度調整して取り付けることができる横部材の取付構造を提供する。【解決手段】防護柵は、基礎の上に、左右長さ方向に所定間隔をおいて複数の支柱２５，２５を設け、支柱２５，２５間に横部材３１を設けてなる。支柱２５側に設けられた支柱側受け部材３５と、この支柱側受け部材３５に設けられ上部が開口した縦溝部４４と、横部材３１に設けられ縦溝部４４に角度調整可能に遊挿されるウエブ部３６Ｃとを備えるから、縦溝部４４にウエブ部３６Ｃを遊挿した状態で、横部材３１の角度を調整して支柱２５に取り付けることができる。また、縦溝部４４の上部を塞ぐ閉塞部材５１を備えるから、縦溝部４４からの横部材側挿入連結部たるウエブ部３６Ｃの抜け出しを防止できる。【選択図】図５
2017193857.tif 000002
【特許請求の範囲】
【請求項１】
防護柵の支柱に横部材を角度調整可能に取付ける横部材の取付構造であって、前記横部材が上下に角度調整可能なことを特徴とする横部材の取付構造。
【請求項２】
前記横部材が前後に角度調整可能であることを特徴とする請求項１記載の横部材の取付構造。
【請求項３】
前記支柱側に設けられた支柱側受け部材と、この支柱側受け部材に設けられ上部が開口した縦溝部と、前記横部材に設けられ前記縦溝部に角度調整可能に遊挿される横部材側挿入連結部とを備えることを特徴とする請求項２記載の横部材の取付構造。
【請求項４】
前記縦溝部の上部を塞ぐ閉塞部材を備えることを特徴する請求項３記載の横部材の取付構造。
【請求項５】
前記請求項１〜４の何れか１項に記載の横部材の取付構造を備え、
設置場所にコンクリート製の基礎を設け、この基礎の上に、左右長さ方向に所定間隔をおいて複数の支柱を設け、前記支柱間に前記横部材を設け、
前記基礎は、複数のプレキャスト製の単位基礎体を長さ方向に連結してなり、前記単位基礎体は、平板部と、この平板部の前後方向山側に一体に設けた控え部と、この控え部を前記設置場所に固定するアンカー手段とを備えることを特徴とする防護柵。
【請求項６】
前記控え部箇所に前記支柱を立設したことを特徴とする請求項５記載の防護柵。
【請求項７】
前記控え部は、前記支柱を取り付ける支柱取付部と、この支柱取付部の山側で該支柱取付部より低く形成され、前記アンカー手段を取り付けるアンカー取付部とを備えることを特徴とする請求項５又は６記載の防護柵。
【発明の詳細な説明】
【技術分野】
【０００１】
本発明は、横部材の取付構造と防護柵に関する。
【背景技術】
【０００２】
従来、この種のものとして、傾斜面の落石、雪崩等を防止すべき箇所に沿って間隔をおいて立設された端末支柱と、前記端末支柱間に間隔をおいて立設された複数本の中間支柱と、端末支柱と中間支柱の山側に沿って上下方向に間隔をあけて複数段張設されたケーブルと、ケーブル表面に張った金網を備え、前記支柱をコンクリートなどのセメント系基礎に埋め込んで立設する落石防護柵（例えば特許文献１）がある。
【０００３】
上記落石防護柵では、現場において型枠を組み、支柱を配置し、型枠内にコンクリートを打設するというように、現場作業が主となり、施工に時間を要すると共に、費用が嵩むという問題がある。
【０００４】
また、支柱を両側面から挟圧して仮止めする挟圧部と、前記挟圧部を支持すると共に擁壁上部の上面及び両側面に当接し、前記擁壁上部に跨って該擁壁の長さ方向にスライドする支持部とからなる仮止め部材を用い、この仮止め部材によって、前記支柱を立設固定するのに先立って前記擁壁上部に仮止し、擁壁内に形成された空洞内に支柱取付孔を通してコンクリートや現場で発生した土砂などの中詰材を詰め込むことで支柱を立設固定する防護柵（例えば特許文献２）がある。
【０００５】
上記防護柵では、プレキャストコンクリート版を型枠として用い、内部に土砂などの中詰材を詰め込むため、特許文献１の落石防護柵に比べて現場施工が容易となるが、依然として現場施工が主となるため、施工に時間が掛かり、費用が嵩むという問題があり、さらに、両防護柵とも、主として現場打ちコンクリートを用いるから、工場製品に比べて製品の品質管理が難しいという問題がある。
【０００６】
これに対して、柱材の建込孔を備え４〜２０トンの角錐台状をなす多数のプレキャストコンクリートブロックを、不陸調整シートを敷設した道路上に、横連結して並べ、建込孔にＨ形鋼を挿入してＨ形鋼を立設し、Ｈ形鋼にライナプレートなどの防護材を係止して設置する仮設落石防護柵（例えば特許文献２）がある。
【０００７】
上記仮設落石防護柵では、緊急に設置が必要な仮設用としは優れているが、現場でコンクリートブロックを並べて載置すると共に相互に連結する構造であるから、雪崩・落石等の大きな荷重には対応することが難しいという問題がある。
【０００８】
また、上記特許文献２には、ピンを支柱の所定高さ位置に設けた穴（図示しない）に挿入することで、支柱をピン周りに回転可能とすることができるので、擁壁上部が傾斜していても、これに拘わらず、支柱が鉛直方向に立設するように角度調整をすることができることが記載されている。
【０００９】
そして、上記のような防護柵は、隣り合う支柱間の防護面に硬質な横部材を設けることが知られており、このような防護柵は斜面に沿う道路などに沿って配置され、その道路には縦断・横断の勾配や平面線形があるため、特許文献２のように支柱を角度調整する技術はあるものの、横部材の支柱への取付けが煩雑になるという問題があった。
【先行技術文献】
【特許文献】
【００１０】
【特許文献１】特開２０１１−４７１５４号公報
【特許文献２】特開２００８−２５５６３２号公報
【特許文献３】特開２００４−１５６３３６号公報
【発明の開示】
【発明が解決しようとする課題】
【００１１】
そこで、本発明は、上記問題点を解決するものであり、支柱に横部材を角度調整して取り付けることができる横部材の取付構造を提供することを目的とし、加えて、施工性と品質に優れた防護柵を提供することを目的とする。
【課題を解決するための手段】
【００１２】
請求項１の発明は、防護柵の支柱に横部材を角度調整可能に取付ける横部材の取付構造であって、前記横部材を上下に角度調整可能なことを特徴とする。
【００１３】
請求項２の発明は、前記横部材を前後に角度調整可能であることを特徴とする。
【００１４】
請求項３の発明は、前記支柱側に設けられた支柱側受け部材と、この支柱側受け部材に設けられ上部が開口した縦溝部と、前記横部材に設けられ前記縦溝部に角度調整可能に遊挿される横部材側挿入連結部とを備えることを特徴とする。
【００１５】
請求項４の発明は、前記縦溝部の上部を塞ぐ閉塞部材を備えることを特徴する。
【００１６】
請求項５の発明は、前記請求項１〜４の何れか１項に記載の横部材の取付構造を備え、設置場所にコンクリート製の基礎を設け、この基礎の上に、左右長さ方向に所定間隔をおいて複数の支柱を設け、前記支柱間に防護部材を設けた防護柵において、前記基礎は、複数のプレキャスト製の単位基礎体を長さ方向に連結してなり、前記単位基礎体は、平板部と、この平板部の前後方向山側に一体に設けた控え部と、この控え部を前記設置場所に固定するアンカー手段とを備えることを特徴とする。
【００１７】
請求項６の発明は、前記控え部箇所に前記支柱を立設したことを特徴とする。
【００１８】
請求項７の発明は、前記控え部は、前記支柱を取り付ける支柱取付部と、この支柱取付部の山側で該支柱取付部より低く形成され、前記アンカー手段を取り付けるアンカー取付部とを備えることを特徴とする。
【発明の効果】
【００１９】
請求項１の構成によれば、設置場所の勾配に対応して横部材を取り付けることができる。
【００２０】
請求項２の構成によれば、設置場所の縦断及び横断の勾配や平面線形に対応して横部材を取り付けることができる。
【００２１】
請求項３の構成によれば、縦溝部に横部材側挿入連結部を遊挿した状態で、横部材の角度を調整して支柱に取り付けることができる。
【００２２】
請求項４の構成によれば、縦溝部からの横部材側挿入連結部の抜け出しを防止できる。
【００２３】
請求項５の構成によれば、複数の単位基礎体を設置場所に並べて連結すると共に、アンカー手段により固定することにより、所定強度の基礎が得られ、その基礎の上に支柱を立設すると共に、支柱間に防護部材を設けることにより防護柵を構築することができる。この防護柵では基礎にプレキャスト製の単位基礎体を用いることにより、現場施工の軽減と工場製品による均一な品質が得られる。
【００２４】
請求項６の構成によれば、支柱を安定して立設することができる。
【００２５】
請求項７の構成によれば、支柱を高い位置に固定し、山側の低い位置でアンカー手段により単位基礎部を設置場所に固定することができる。
【図面の簡単な説明】
【００２６】
【図１】本発明の実施例１を示す正面図である。
【図２】同上、平面図である。
【図３】同上、図２のＡ−Ａ線断面図である。
【図４】同上、図２のＢ−Ｂ線断面図である。
【図５】同上、隣り合う支柱と横部材の拡大平面図である。
【図６】同上、支柱と横部材の拡大正面図である。
【図７】同上、支柱側受け部材を示し、図６（Ａ）は断面図、図６（Ｂ）は側面図、図６（Ｃ）は平面図である。
【図８】同上、閉塞部の側面図である。
【図９】同上、支柱と横部材の平面説明図である。
【図１０】同上、隣り合う支柱と横部材の正面説明図である。
【図１１】同上、支柱と横部材の平面説明図である。
【図１２】本発明の実施例２を示す断面図である。
【図１３】本発明の実施例３を示す断面図である。
【図１４】本発明の実施例４を示す断面図である。
【発明を実施するための形態】
【００２７】
本発明における好適な実施の形態について、添付図面を参照しながら詳細に説明する。尚、以下に説明する実施の形態は、特許請求の範囲に記載された本発明の内容を限定するものではない。また、以下に説明される構成の全てが、本発明の必須要件であるとは限らない。各実施例では、従来とは異なる新規な横部材の取付構造を採用することにより、従来にない横部材の取付構造と防護柵が得られ、その横部材の取付構造と防護柵について記述する。
【実施例１】
【００２８】
以下、本発明の実施例を添付図面を参照して説明する。図１〜図１１は本発明の実施例１を示す。同図に示すように、防護柵１は、山２側の斜面３と道路４などとの境である設置場所５の長さ方向に沿ってコンクリート製の基礎６が設けられる。この基礎６は、プレキャストコンクリート製の単位基礎体である基礎ブロック７を設置場所５の左右長さ方向に並設すると共に連結してなる。
【００２９】
前記基礎ブロック７は、設置場所５の長さ方向の平板部１１と、平板部１１の山２側（後側）に設けた控え部１２とを一体に備える。また、平板部１１は反山２側（前側）に傾斜面部１３を有し、上面部１４は平坦で、上面部１４の山側には略垂直な防護面部１５が設けられ、図２に示すように、前記控え部１２は、平板部１１の長さ方向中央で平面において平板部１１に直交して設けられている。また、控え部１２の左右の側面部１６，１６は略平行に形成され、左右の側面部１６，１６の前側と前記防護面部１５，１５の角部には、傾斜状の肉盛り部１７，１７が設けられている。
【００３０】
前記平板部１１の下部に根入れ部１８を設け、この根入れ部１８は断面略方形をなし、反山２側の面である前面部１８Ｍは垂直で、この前面部１８Ｍは前記傾斜面部１３に連続し、根入れ部１８の山２側の面である後面部１８Ｕは垂直で前記防護面部１５より後方に位置する。即ち、根入れ部１８の前後厚さは、前記平板部１１の底部の前後厚さよりも厚い。そして、隣り合う基礎ブロック７，７の長さ方向の端面７Ｔ，７Ｔを突き合わせて複数の基礎ブロック７，７・・・を並べる。また、根入れ部１８は地中に埋設し、根入れ部１８の上部を道路４の上面に合わせる。
【００３１】
前記控え部１２は、前側に支柱取付部２１が設けられると共に、後側に前記支柱取付部２１より一段低いアンカー取付部２２を設けられている。前記支柱取付部２１の上面部２１Ｊは前記上面部１４と面一であり、前記上面部２１Ｊと前記アンカー取付部２２の上面部２２Ｊとの間には略垂直な後面部２１Ｕが設けられている。また、アンカー取付部２２の下面部２２Ｋは略水平に形成され、さらに、前記下面部２１Ｋと前記後面部２１Ｕの上端との間は、後側に向かって高くなる下面部２１Ｋが設けられ、この下面部２１Ｋは前記支柱取付部２１の下部に設けられている。
【００３２】
図３などに示すように、前記平板部１１には横鋼材２３を挿通する挿通孔部２４，２４が上下に並んで複数形成されている。また、図２及び図３に示すように、前記支柱取付部２１には、支柱２５を取り付ける取付孔部２６が穿設されている。さらに、前記アンカー取付部２２は、アンカー手段２７を挿通する挿通孔部２８を穿設している。尚、アンカー手段２７には、全ネジＰＣ鋼棒などが例示される。また、アンカー手段２７の下端は、十分な反力が得られる地山に固定される。
【００３３】
前記支柱２５にはＨ形鋼が用いられている。この支柱２５は、前後のフランジ部２５Ａ，２５Ａの中央を、これらと交差方向のウエブ部２５Ｂにより連結し、左右には取付用の溝部２５Ｃ，２５Ｃが縦設されている。また、隣り合う支柱２５，２５間には防護部材が設けられ、この例の防護部材は、梁である横部材３１であって、横部材３１の本体３２は、硬質材料からなる鋼製などの角パイプからなる。また、前記横部材３１は支柱２５，２５間に上下に間隔を置いて多段に設けられる。
【００３４】
前記支柱２５には、前記横部材３１の端部が角度調整取付構造３３により取り付けられ、以下、その角度調整取付構造３３の構成について説明する。
【００３５】
前記角度調整取付構造３３は、前記横部材３１の端部に設けた連結部材３４と、前記支柱２５に設けた支柱側受け部材３５とを備える。
【００３６】
前記横部材３１の端部にＨ形鋼３６の一方のフランジ部３６Ａを溶着などにより固定し、前記一方のフランジ部３６Ａの外面と横部材３１の外面とに、複数の補強用リブ部３７を取り付ける。そして、前記Ｈ形鋼の他方のフランジ部３６Ｂとウエブ部３６Ｃとにより前記連結部材３４を構成し、ウエブ部３６Ｃにより横部材側挿入連結部を構成し、ウエブ部３６Ｃは縦板部である。また、フランジ部３６Ｂは、横部材３１の長さ方向の抜け止め部であって、ウエブ部３６Ｃが左右方向において後述する縦溝部４４から抜けることを防止する。
【００３７】
前記支柱側受け部材３５は、前記溝部２５Ｃに固定する平板状の横材４１と、前記溝部２５Ｃから外部に突出した横材４１の先端に設けられた縦材４２とを一体に備え、横材４１は支柱２５に取付けられる取付部である。前記横材４１の幅方向両側縁には、前記フランジ部２５Ａの内面に配置する凹部４３，４３が設けられ、両側の凹部４３，４３が前後のフランジ部２５Ａ，２５Ａ内に嵌った状態で溶着などにより支柱２５に固定されている。尚、フランジ部２５Ａ，２５Ａの外面と横材４１の先端側の側縁とは面一になる。
【００３８】
前記縦材４２の前後方向中央には、上部が開口した縦溝部４４が縦設され、前記縦溝部４４の上部の両側には上方に向かって間隔が広がる縦溝傾斜縁部４４Ａ，４４Ａが設けられ、縦溝部４４に前記ウエブ部３６Ｃが上方から遊挿される。そして、縦溝部４４の下部側の幅Ｈの寸法は前記ウエブ部３６Ｃの厚さＴの寸法よりも大きい。また、縦材４２の前後上部には、透孔４５，４５が穿設されている。
【００３９】
また、前記縦溝部４４の上部を塞ぐ板状の閉塞部材５１を備え、この閉塞部材５１は前記縦溝部４４に対応し下部が開口した下縦溝部５２と、前後の前記透孔４５，４５に対応し下部が開口した前後の切欠き長孔部５３，５３とを備える。そして、下縦溝部５２の幅Ｗ１の寸法は前記厚さＴの寸法より大きく、且つ前記幅Ｗの寸法より小さい（Ｗ＞Ｗ１＞Ｔ）。例えば、幅Ｗは３０ｍｍ、幅Ｈ１は２０ｍｍ、厚さＴは１２ｍｍ程度である。また、縦材４２と閉塞部材５１の厚さＴ１の寸法は、前記厚さＴの寸法以上で、前記幅Ｗ１の寸法以下である。即ち、幅Ｗが厚さＴより大きくても、厚さＴ１が大きくなると、支柱２５の左右方向の調整可能な角度θが小さくなるため、厚さＴ１の寸法を前記幅Ｗ１の寸法以下とした。また、両端のフランジ部３６Ｂ，３６Ｂの外面の間隔Ｋは、隣り合う支柱２５，２５のウエブ部２５Ｂ，２５Ｂの外面の間隔ＫＷより小さく、隣りある支柱２５，２５の縦材４２，４２の内面の間隔ＫＴより大きい。また、上記の寸法で、厚さＴ１が１４ｍｍの場合、図１１に示すように、支柱２５の左右方向の調整可能な角度θは５．７３６度であり、また、図１０に示すように、支柱２５の上下方向の調整を想定する角度θＶは１１．４２２度である。
【００４０】
さらに、上下に隣り合う横材４１の底面と縦材４２の上端との間隔Ｈは、前記ウエブ部３６Ｃの高さＨＷの寸法より大きい。従って、支柱２５の前後一側から前記間隔Ｈにウエブ部３６Ｃを遊挿し、ここから横部材３１を下して前記縦溝部４４にウエブ部３６Ｃを遊挿することができる。
【００４１】
ここで前記支柱２５への横部材３１の取付方法について説明する。工場において、支柱２５には前記支柱側受け部材３５が上下多段に取付けられており、また、工場において、横部材３１の両端には前記連結部材３４が取り付けられている。そして、下段側から横部材３１を取り付け、上述したようにして、支柱２５の前後一側から前記間隔Ｈにウエブ部３６Ｃを遊挿し、ここから横部材３１を下して両端のウエブ部３６Ｃ，３６Ｃを両側の支柱２５，２５の縦溝部４４，４４に遊挿する。この状態で縦溝部４４とウエブ部３６Ｃの間にその寸法差による隙間があるため、縦材４２に対してウエブ部３６Ｃの左右方向の向きを調整することができ、また、縦材４２に対してウエブ部３６Ｃの上下方向の向きを調整することができる。
【００４２】
このように必要に応じて現場の勾配に合わせて横部材３１を配置した後、前記ウエブ部３６Ｃの上部に下縦溝部５２を外嵌するようにして縦材４２の外面に閉塞部材５１を重ね合わせ、切欠き長孔部５３と透孔４５に、固定手段たるボルト５４を挿通し、ボルト５４にナット５４Ａを螺合して縦材４２に閉塞部材５１を固定する。これにより縦材４２からウエブ部３６Ｃが外れることなく、支柱２５に横部材３１の端部を固定することができる。また、閉塞部材５１には切欠き長孔部５３が形成されているから、縦材４２に対してウエブ部３６Ｃの上下方向の向きの角度が大きくなっても、縦材４２に閉塞部材５１を固定することができる。
【００４３】
次に、施工方法について説明する。隣り合う基礎ブロック７，７の長さ方向の端面７Ｔ，７Ｔを突き合わせて複数の基礎ブロック７，７・・・を並べ、根入れ部１８は地中に埋設し、複数の基礎ブロック７，７・・・の挿通孔部２４，２４に横鋼材２３，２３を挿通し、この横鋼材２３，２３により複数の基礎ブロック７，７・・・を緊張一体化して基礎６を構築し、山側のアンカー取付部２２をアンカー手段２７により山２側の地山に固定し、所定の支持力を得る。尚、図１において右端の基礎ブロック７は、平板部１１の右側が無いものである。さらに、勾配に対応して、基礎ブロック７の端面７Ｔを斜めに形成する。この場合は、工場で端面７Ｔを斜めに成形したり、工場又は現場で端面７Ｔを切断などにより斜めに加工してもよい。
【００４４】
また、支柱取付部２１に支柱２５の下部を挿入配置し、その支柱取付部２１に無収縮モルタルなどの充填材５５を入れ、支柱２５を固定する。この後、上述したように隣り合う支柱２５，２５間に横部材３１を多段に設ける。
【００４５】
この防護柵１においては、斜面３の積雪が防護面部１５と基礎６の後面部２１Ｕに加わると、基礎６全体により支持すると共に、山２側のアンカー手段２７が対抗することにより、安定した支持力が得られる。
【００４６】
このように本実施例では、請求項１に対応して、防護柵１の支柱２５に横部材３１を角度調整可能に取付ける横部材の取付構造であって、横部材３１を上下に角度調整可能であるから、設置場所５の勾配に対応して横部材３１を取り付けることができる。
【００４７】
このように本実施例では、請求項２に対応して、横部材３１が前後に角度調整可能であるから、設置場所５の縦断及び横断の勾配や平面線形に対応して横部材３１を取り付けることができる。
【００４８】
このように本実施例では、請求項３に対応して、支柱２５側に設けられた支柱側受け部材３５と、この支柱側受け部材３５に設けられ上部が開口した縦溝部４４と、横部材３１に設けられ縦溝部４４に角度調整可能に遊挿される横部材側挿入連結部たるウエブ部３６Ｃとを備えるから、縦溝部４４にウエブ部３６Ｃを遊挿した状態で、横部材３１の角度を調整して支柱２５に取り付けることができる。
【００４９】
このように本実施例では、請求項４に対応して、縦溝部４４の上部を塞ぐ閉塞部材５１を備えるから、縦溝部４４からの横部材側挿入連結部たるウエブ部３６Ｃの抜け出しを防止できる。
【００５０】
このように本実施例では、請求項５に対応して、設置場所５にコンクリート製の基礎６を設け、この基礎６の上に、左右長さ方向に所定間隔をおいて複数の支柱２５，２５を設け、支柱２５，２５間に防護部材たる横部材３１を設けた防護柵１において、基礎６は、複数のプレキャスト製の単位基礎体たる基礎ブロック７を長さ方向に連結してなり、基礎ブロック７は、平板部１１と、この平板部１１の前後方向山側に一体に設けた控え部１２と、この控え部１２を設置場所５に固定するアンカー手段２７とを備えるから、複数の基礎ブロック７を設置場所５に並べて連結すると共に、アンカー手段２７により固定することにより、所定強度の基礎６が得られ、その基礎６の上に支柱２５を立設すると共に、支柱２５，２５間の横部材３１を設けることにより防護柵１を構築することができる。この防護柵１では基礎のプレキャスト製の基礎ブロック７を用いることにより、現場施工の軽減と工場製品による均一な品質が得られる。
【００５１】
このように本実施例では、請求項６に対応して、控え部１２の箇所に支柱２５を立設したから、支柱２５を安定して立設することができる。
【００５２】
このように本実施例では、請求項７に対応して、控え部１２は、支柱２５を取り付ける支柱取付部２１と、この支柱取付部２１の山側で該支柱取付部２１より低く形成され、アンカー手段２７を取り付けるアンカー取付部２２とを備えるから、支柱２５を高い位置に固定し、山２側の低い位置でアンカー手段２７により基礎ブロック７を設置場所５に固定することができる。
【００５３】
このように本実施例では、防護部材が横部材３１であり、横部材３１は隣り合う支柱２５，２５間に多段に設けられ、横部材３１を支柱２５に角度調整可能に取付ける角度調整取付構造３３を有するから、設置場所５の勾配に対応して横部材３１を取り付けることができる。
【００５４】
以下、実施例上の効果として、角度調整取付構造３３は剛結ではなく、ピン結合であるから、取付け箇所に無理な力が加わらない。また、アンカー手段２７を支柱２５及び後面部２１Ｕと離れた山２側に配置したから、アンカー手段２７により積雪荷重や落石荷重を効果的に支持することできる。さらに、上下に隣り合う横材４１の底面と縦材４２の上端との間隔Ｈは、前記ウエブ部３６Ｃの高さＨＷの寸法より大きいから、支柱２５の前後一側から前記間隔Ｈにウエブ部３６Ｃを遊挿し、ここから横部材３１を下して前記縦溝部４４にウエブ部３６Ｃを遊挿することができる。また、閉塞部材５１は縦溝部４４に対応し下部が開口した下縦溝部５２と、前後の透孔４５，４５に対応し下部が開口した前後の切欠き長孔部５３，５３とを備えるから、下縦溝部５２によりウエブ部３６Ｃが縦溝部４４から外れることなく連結でき、さらに、横部材３１に縦断方向の勾配がある場合も、切欠き長孔部５３，５３により閉塞部材５１を縦材４２に固定することができる。
【実施例２】
【００５５】
図１１は本発明の実施例２を示し、上記実施例１と同一部分に同一符号を付し、その説明を省略して詳述すると、この例では、斜面３の傾斜角が６０度の現場に設ける防護柵１であり、控え部１２のアンカー取付部２２の前後方向を前記実施例１のものより短く形成している。尚、実施例１では、斜面３の傾斜角が５０度のタイプのものを示した。
【００５６】
このように本実施例では、上記実施例１と同様な作用・効果を奏する。
【００５７】
また、このように、斜面３の傾斜角が大きくなったら、アンカー取付部２２の前後長さ方向を変更し、他は変更しないで対応することができる。
【実施例３】
【００５８】
図１２は本発明の実施例３を示し、上記各実施例と同一部分に同一符号を付し、その説明を省略して詳述すると、この例では、斜面３の傾斜角が４０度の現場に設ける防護柵１であり、控え部１２のアンカー取付部２２の前後方向を前記実施例１のものより長く形成している。
【００５９】
このように本実施例では、上記各実施例と同様な作用・効果を奏する。
【００６０】
また、このように、斜面３の傾斜角が小さくなったら、アンカー取付部２２の前後長さ方向を変更し、具体的には傾斜角が角度が減少したら、アンカー取付部２２の前後寸法を逆に長く形成し、また、傾斜角が角度が増加したら、アンカー取付部２２の前後寸法を逆に短く形成し、他は変更しないで対応することができる。
【実施例４】
【００６１】
図１３は本発明の実施例４を示し、上記各実施例と同一部分に同一符号を付し、その説明を省略して詳述すると、この例では、上記実施例１〜３が設計積雪深さが同じであったのに対して、実施例１〜３より設計積雪深さが深い現場に設ける防護柵１である。
【００６２】
実施例１〜３に比べて、支柱２５の高さと防護面部１５の高さを大きくし、横部材３１の段数も増やしており、他は変更しないで対応できる。
【００６３】
このように本実施例では、上記各実施例１と同様な作用・効果を奏する。
【００６４】
また、この例でも、上記実施例と同様に斜面３の傾斜角が小さくなったら、アンカー取付部２２の前後長さ方向を変更し、具体的には傾斜角が角度が減少したら、アンカー取付部２２の前後寸法を逆に長く形成し、また、傾斜角が角度が増加したら、アンカー取付部２２の前後寸法を逆に短く形成し、他は変更しないで対応することができる。
【００６５】
尚、本発明は、本実施例に限定されるものではなく、本発明の要旨の範囲内で種々の変形実施が可能である。例えば、実施例では、Ｔ型の連結部材を用いたが、Ｌ型でもよく、抜け止め部の形状は適宜選定可能である。また、単位基礎体に複数の控え部を設け、各控え部にアンカー手段を設けてもよい。さらに、支柱を上段側から取り付けてもよい。また、支柱をＨ形鋼にすることにより連結部材を取付け易くなるが、これに限定されず、支柱を円形の鋼管や角形の鋼管などにしてもよい。さらに、根入れ部は必ずしも設ける必要はない。
【符号の説明】
【００６６】
１  防護柵
２  山
３  斜面
５  設置場所
６  基礎
７  基礎ブロック（単位基礎体）
１１  平板部
１２  控え部
２１  支柱取付部
２２  アンカー取付部
２７  アンカー手段
３１  横部材（防護部材）
３３  角度調整取付構造
３４  連結部材
３５  支柱側受け部材
３６Ｃ  ウエブ部  （横部材側挿入連結部）
４４  縦溝部
５１  閉塞部材
【図１】
2017193857.tif 000003
【図２】
2017193857.tif 000004
【図３】
2017193857.tif 000005
【図４】
2017193857.tif 000006
【図５】
2017193857.tif 000007
【図６】
2017193857.tif 000008
【図７】
2017193857.tif 000009
【図８】
2017193857.tif 000010
【図９】
2017193857.tif 000011
【図１０】
2017193857.tif 000012
【図１１】
2017193857.tif 000013
【図１２】
2017193857.tif 000014
【図１３】
2017193857.tif 000015
【図１４】
2017193857.tif 000016